(57)【要約】【課題】小型でありながら、検知の精度・信頼性を損なうこと無く、低コストで複数の動作を一つのセンサで検知することができるカメラを提供すること。【解決手段】バリア羽根１７２をバリア駆動部材１７３で駆動したらバリア駆動部材１７３とともに回動する反射部材１７５ａをＰＲ１１３前面に位置させる。ＰＲ１１３を受光状態にしておいて、遮光部材からなるシャッタ羽根１７１あるいはズーム検知羽根１７６を反射部材１７５ａとＰＲ１１３前面との間に介在させ、ＰＲ１１３の出力を変化させる。一つのＰＲ１１３でシーケンス的にバリア羽根１７２の開閉検知と、シャッター羽根１７１の開閉検知と、ズーム操作に応じたレンズ鏡胴１７０の繰出位置とが検出される。【選択図】　　　　図２
2004118024.tif 000002
【特許請求の範囲】
【請求項１】
沈胴、繰出し自在な、撮影光学系を保持する鏡胴を備え、前記撮影光学系を経由して入射してきた被写体光を捉えることにより被写体の撮影を行なうカメラにおいて、
前記鏡胴が、
前記撮影光学系の前面を開放自在に覆うバリア羽根を有し、沈胴時に該撮影光学系前面を該バリア羽根で覆うとともに所定の繰出位置まで繰り出す間に該撮影光学系前面を開放するバリア機構と、
前記撮影光学系を経由して入射する被写体光の光路上に配備されたシャッタ羽根を有し撮影操作に応じて該シャッタ羽根を開閉するシャッタ機構と、
前記バリア羽根の開閉検知と前記シャッタ羽根の開閉検知との双方を担う一つのセンサとを保持するものであることを特徴とするカメラ。
【請求項２】
前記センサは、投光部と該投光部から投光され反射して戻ってきた光を受光する受光部とを有するフォトリフレクタであり、
前記バリア機構は、前記バリア羽根が前記撮影光学系前面を覆う状態にあるときに前記センサ前面から退避した位置に配置され、前記バリア羽根が前記撮影光学系前面から退避した状態にあるとき前記センサ前面に位置して前記投光部から投光された光を前記受光部に向けて反射する反射部材を有し、
前記シャッタ機構は、前記シャッタ羽根が閉じた状態にあるときに前記センサ前面から退避した位置に配置され、前記シャッタ羽根が開いた状態にあるときに、前記センサ前面を覆うことにより、前記投光部から投光された光の、前記受光部への入射を阻止する遮光部材を有するものであることを特徴とする請求項１記載のカメラ。
【請求項３】
前記鏡胴は、前記繰出位置よりもさらに前方に繰り出すことによって前記撮影光学系の焦点距離を変更するものであり、
前記鏡胴は、複数の各繰出位置まで繰出されるたびに前記センサ前面を覆って、前記投光部から投光された光の、前記受光部への入射を阻止するズーム検知羽根を備えたものであることを特徴とする請求項１記載のカメラ。
【発明の詳細な説明】
【０００１】
【発明の属する技術分野】
本発明は、沈胴、繰出し自在な、撮影光学系を保持する鏡胴を備え、前記撮影光学系を経由して入射してきた被写体光を捉えることにより被写体の撮影を行なうカメラに関する。
【０００２】
【従来の技術】
電源が投入されたときにレンズ鏡胴がカメラボディから繰り出され、撮影レンズが被写体に向けられるカメラがある。このようなカメラでは電源がオフされると、レンズ鏡胴が沈胴してカメラボディ内に収められる。
【０００３】
このようなカメラには、沈胴時に撮影光学系を保護するためのバリア機構が備えられている。このバリア機構には開閉が自在なバリア羽根が設けられており、そのバリア羽根が、電源が投入されて鏡胴が繰出されるときには繰出動作に連動して撮影光学系を開放し、電源がオフされて鏡胴が沈胴されるときには沈胴動作に連動して撮影光学系の前面を覆って撮影光学系を保護する。
【０００４】
このようなカメラでは、バリア羽根の開閉検知やレンズ鏡胴の繰出・沈胴といった動作を検出するために多数のセンサがレンズ鏡胴内に設けられている。
【０００５】
しかしセンサが多数必要になると部品点数が増えてコストが上がる。そこで、レンズ鏡胴の繰出・沈胴動作とバリア機構の開閉動作を一つのセンサで行なっているカメラもある（例えば、特許文献１参照。）。
【０００６】
また、シャッター羽根の開閉検知とレンズ鏡胴の繰出位置の検知を一つのセンサで行なうものもある（例えば、特許文献２参照。）。
【０００７】
【特許文献１】
特開平１１―０７２８２５号公報（第３―５頁　第１図）
【特許文献２】
特開平０７−１６８２４７号公報（第６−１８頁　第１図）
【０００８】
【発明が解決しようとする課題】
特許文献１、特許文献２いずれの場合においても一つのセンサで複数の動作を検知しているが、特許文献１では沈胴検知を直接行なわずにバリア閉を以って沈胴検知としている点、特許文献２ではシャッタ羽根を閉じさせない程度にそのシャッタ羽根を揺動させてズーム・合焦検知を行なった後、同じシャッタ羽根で開閉検知を行なっている点がそれぞれ従属的であり、それぞれセンサを設けて直接開閉検知および位置検知を行なうものに比べて検知の精度・信頼性が低い。
【０００９】
本発明は、上記事情に鑑み、小型でありながら、検知の精度・信頼性を損なうこと無く、低コストで複数の動作を一つのセンサで検知することができるカメラを提供することを目的とする。
【００１０】
【課題を解決するための手段】
上記目的を達成する本発明のカメラは、沈胴、繰出し自在な、撮影光学系を保持する鏡胴を備え、その撮影光学系を経由して入射してきた被写体光を捉えることにより被写体の撮影を行なうカメラにおいて、
鏡胴が、
撮影光学系の前面を開放自在に覆うバリア羽根を有し、沈胴時に該撮影光学系前面を該バリア羽根で覆うとともに所定の繰出位置まで繰り出す間に該撮影光学系前面を開放するバリア機構と、
撮影光学系を経由して入射する被写体光の光路上に配備されたシャッタ羽根を有し撮影操作に応じて該シャッタ羽根を開閉するシャッタ機構と、
上記バリア羽根の開閉検知と上記シャッタ羽根の開閉検知との双方を担う一つのセンサとを保持するものであることを特徴とする。
【００１１】
上記本発明のカメラによれば、バリア羽根の開閉検知とシャッター羽根の開閉検知の双方が一つのセンサで独立に検出される。このように双方の検知が独立に行なわれると、信頼性が上がり、精度の高い検知を行なうことができる。
【００１２】
ここで、上記センサは、投光部とその投光部から投光され反射して戻ってきた光を受光する受光部とを有するフォトリフレクタであり、
バリア機構は、バリア羽根が前記撮影光学系前面を覆う状態にあるときに上記センサ前面から退避した位置に配置され、前記撮影光学系前面から退避した状態にあるとき上記センサ前面に位置して投光部から投光された光を受光部に向けて反射する反射部材を有し、
上記シャッタ機構は、シャッタ羽根が閉じた状態にあるときに前記センサ前面から退避した位置に配置され、前記シャッター羽根が開いた状態にあるときに、前記センサ前面を覆うことにより、投光部から投光された光の、受光部への入射を阻止する遮光部材を有するものであることが好ましい。
【００１３】
このようにバリア羽根が開いたときに、投光部から投光される光を上記反射部材で反射させて受光部に受光させると、上記センサでまずバリア羽根が開いたことが検知される。さらにこのバリア羽根が開いたままになり、投光部から投光された光が上記反射部材で受光部側へ反射されたままになることを利用して、その反射部材とセンサ前面との間にレリーズ操作に応じてシャッタ機構が有する遮光部材を介在させると、シャッタ羽根が開かれたときにはシャッタ機構が有する遮光部材により受光部への入射が阻止され、上記センサの出力が変化する。したがって、バリア羽根の開閉検知とシャッタ羽根とをそれぞれ独立に行なうことができる。
【００１４】
ここで前記鏡胴は、前記繰出位置よりもさらに前方に繰り出すことによって前記撮影光学系の焦点距離を変更するものであり、
前記鏡胴は、複数の各繰出位置まで繰出されるたびに前記センサ前面を覆って、前記投光部から投光された光の、前記受光部への入射を阻止するズーム検知羽根を備えたものであることが好ましい。
【００１５】
ここでバリアの開閉とレリーズ操作とズーム操作が同時には行なわれないことを鑑みて、繰出位置を検出するためのズーム検知羽根を別途設けてレンズ鏡胴が複数の繰出位置に繰り出されるたびに上記センサ前面を覆う位置にそのズーム検知羽根を配置すれば、上記センサでバリア羽根の開閉検知、シャッタ羽根の開閉検知のほかにレンズ鏡胴の繰出位置の検知をも独立に行なわせることができる。
【００１６】
【発明の実施の形態】
以下、本発明の実施形態について説明する。
【００１７】
図１（ａ）はレンズ鏡胴１７０が沈胴したときのカメラの外観を示す構成斜視図であり、また図１（ｂ）は電源スイッチ１０１が操作され電源が投入されたときにレンズ鏡胴１７０が所定の繰出位置まで繰出されたときのカメラの外観を示す構成斜視図である。さらに図１（ｃ）はズームスイッチ１０３が操作されて、レンズ鏡胴１７０のズーム駆動が行われて所定の繰出位置からさらにレンズ鏡胴１７０が繰出されたときのカメラの外観を示す構成斜視図である。
【００１８】
図１（ａ）に示すように電源がオフされているときには、カメラボディ内にレンズ鏡胴１７０が沈胴している。ここで電源スイッチ１０１がオン側に切り替えられると、図１（ｂ）に示しようにレンズ鏡胴１７０が所定の位置まで繰出され、撮影準備が整えられる。
【００１９】
さらにズームスイッチ１０３が操作されると、図１（ｃ）に示しように所定の繰出位置からさらにレンズ鏡胴１７０が繰出されてレンズ鏡胴１７０に内蔵された撮影レンズの位置が動き、焦点距離が調節される。このレンズ鏡胴１７０には撮影光学系を構成する撮影レンズの一部が配備されており、カメラ本体側に配備された残りの撮影レンズとの間の相対距離を変えると、焦点距離が調節される。
【００２０】
図２はレンズ鏡胴１７０内部の構成およびレンズ鏡胴１７０内の機構を制御するための制御部を示した図である。
【００２１】
図２の左側が被写体側にあたり、図２の右側がカメラ本体側にあたる。
【００２２】
図２に示すようにカメラ本体側にはＣＰＵ１１０が備えられており、そのＣＰＵ１１０によってシャッター羽根１７１の開閉に関わる制御と、レンズ鏡胴１７０の駆動に関わる制御とが行なわれている。レリーズ釦１０２が押下操作され、その操作内容がＣＰＵ１１０に伝えられると、ＣＰＵ１１０ではドライバ１１１を介してシャッターアクチュエータ１１２に駆動指示が出される。このシャッターアクチュエータ１１２ではこの駆動指示に応じてシャッター羽根１７１が駆動される。ＣＰＵ１１０にはシャッタ羽根１７１が駆動されたときの状況を検知するためのフォトリフレクタ１１３（以下、ＰＲという）が接続されている。このＰＲ１１３は投光部１１３ａと受光部１１３ｂとを有しており、このＰＲ１１３の出力の変化がＣＰＵ１１０では検知されている。
【００２３】
また、レンズ鏡胴１７０の駆動を行なうズーム駆動モータ１１４の制御もこのＣＰＵ１１０で行なっており、このズーム駆動モータ１１４でレンズ鏡胴１７０の繰出およびレンズ鏡胴１７０の沈胴が行なれるとともにズームスイッチ１０３の操作に応じて図１（ｂ）に示す所定の繰出位置からさらにレンズ鏡胴１７０を繰り出すことなどが行なわれる。このズーム駆動モータ１１４には回転位置検出用のエンコーダ１１４１が設けられており、ＣＰＵ１１０ではそのエンコーダ１１４１から出力されるパルスの数に基づいてズーム駆動モータ１１４の回転状況が監視されている。このエンコーダ１１４１は、フォトインタラプタ（以下、ＰＩという）１１４１ａと回転羽根１１４１ｂとからなり、この回転羽根１１４１ｂがＰＩ１１４１ａ内を回転すると、遮光・開放が繰り返されパルス状の信号がこのＰＩ１１４１ａから出力される。ＣＰＵ１１０ではその繰り返されて入力されるパルス状の信号の数が数えられる。
【００２４】
さらにこのＣＰＵ１１０では閃光発光装置１１５の制御も行なわれており、閃光が必要な場合には閃光発光装置１１５から閃光発光部１１５ａに閃光の指示が出される。
【００２５】
このＣＰＵ１１０により制御されるシャッタアクチュエータ１１２、ズーム駆動モータ１１４によってレンズ鏡胴１７０の繰出・沈胴に係る部材がそれぞれ駆動される。
【００２６】
このレンズ鏡胴１７０の外縁側には回転自在な移動筒（図示せず）が備えられており、その移動筒がズーム駆動モータ１１４により駆動されてレンズ鏡胴１７０の繰出、レンズ鏡胴１７０の沈胴が行なわれる。レンズ鏡胴１７０内の機構部品あるいは電気部品が移動筒とともに回転してしまうことを避けるため、その移動筒の回転に伴って直進するカム筒（図示せず）が移動筒に内包されており、そのカム筒の内部に図２に示す各部材が備えられている。
【００２７】
カム筒の内部には電源がオフされているときには撮影光学系内の撮影レンズを保護するためのバリア羽根１７２と、そのバリア羽根１７２を駆動するためのバリア駆動部材１７３と、ズーム操作に応じてレンズ鏡胴とともに動くレンズ群１７４と、レリーズ釦１０２の操作状況に応じて開閉するシャッター羽根１７１といった部材が配設されている。
【００２８】
電源スイッチ１０２がオフ側にあるときには撮影レンズを保護するバリア羽根１７２は、二つの部材１７２ａ，１７２ｂからなる。この二つの部材１７２ａ，１７２ｂの一部それぞれが接するように配設されると、撮影光学系前面が覆われて撮影レンズが保護される。ここで電源スイッチ１０１が投入され、レンズ鏡胴１７０の移動筒がズーム駆動モータにより駆動されてレンズ鏡胴１７０が繰出されると、カム筒により保持されているバリア駆動部材１７２が回動されることにより二つのバリア羽根１７２ａ，１７２ｂ双方が回動されて撮影光学系前面から開放される。
【００２９】
これらのバリア羽根１７２ａ，１７２ｂにはバリア駆動部材１７３に連結されるピン１７２１ａ，１７２１ｂがそれぞれ固設されており、それらのピン１７２１ａ，１７２１ｂがバリア駆動部材１７３に設けられた孔それぞれに嵌入されている。それらのバリア羽根１７２ａ，１７２ｂにはそれらのピン１７２１ａ，１７２１ｂが固設された位置付近に貫通穴がそれぞれ設けられており、それらの穴にレンズ鏡胴１７０側に固設されたピン１７２２ａ，１７２２ｂがそれぞれ嵌入されて、バリア羽根１７２ａ，１７２ｂが回動自在に軸支されている。図２はレンズ鏡胴１７０が沈胴した状態であって、この状態からレンズ鏡胴１７０が繰出されると、バリア駆動部材１７３が回動してその回動に応じてそれぞれのバリア羽根１７２ａ，１７２ｂが支軸を中心に回動されて撮影光学系前面が開放される。
【００３０】
これらのバリア羽根１７２ａ，１７２ｂを駆動するバリア駆動部材１７３には光軸方向にカムピン１７３１が延設されており、そのカムピン１７３１がカメラ本体側に固定されている直進ガイド１００１に係合している。このカムピン１７３１は直進ガイド１００１の先端に形成された斜面１００１ａに係合され、レンズ鏡胴１７０が沈胴しているときには斜面１００１ａの一方の側付近に、またレンズ鏡胴１７０が繰出されたら斜面１００１ａを滑り斜面１００１ａの反対側付近に係合される。レンズ鏡胴１７０が繰出され始めると、カムピン１７３１が斜面を滑り始めるので、直進ガイド１００１の端面で規制されていたカムピンの位置が斜面１００１ａに沿って動き始める。そうすると、バリア駆動部材１７３を付勢するために設けられているばね１７３２によりバリア駆動部材１７３がそのばね１７３２で付勢されている方向に回動し始める。そのバリア駆動部材１７３の回動に伴ってバリア羽根１７２ａ，１７２ｂが回動され、撮影光学系が開放され始める。カムピン１７３１が斜面１００１ａを降り切ると、バリア羽根１７２ａ，１７２ｂが回動され、撮影光学系前面が完全に開放される。
【００３１】
一方、このバリア駆動部材１７３の回動はギア部１７３３を介してＰＲ側に延設されたシャフト１７５に伝えられており、そのシャフト１７５の反対側の端部に設けられた反射部材１７５ａも回動される。このようにバリア駆動部材１７３が回動され、この反射部材１７５ａもともに回動されると、その反射部材１７５ａがＰＲ１１３の前面に位置して、ＰＲ１１３の投光部１１３ａから投光された光がすべて受光部１１３ｂ側に反射される。このことによりバリア羽根１７２ａ，１７２ｂがそれぞれ駆動されたことがＣＰＵ１１０により検知される。さらに反射部材１７５ａがＰＲ１１３前面に位置したままになるので、この反射部材１７５ａとＰＲ１１３前面との間に、前述したシャッタ検知羽根１７１、あるいはズーム検知羽根１７６が有する遮光部材たとえば黒色の部材を動作状況に応じて介挿させればシャッタ羽根１７１の開閉検知、ズーム位置の検知がＰＲ１１３で行なわれる。逆に電源がオフされると、バリア羽根が閉じる方向に回動され、反射部材１７５ａがＰＲ１１３の前面から退避した位置に回動されてＰＲ１１３の出力信号が変化する。この変化がＣＰＵ１１０により検出される。
【００３２】
上記ズーム検知羽根１７６は、レンズ鏡胴１７０の繰出動作あるいはズーム操作に応じてレンズ鏡胴１７０とともに移動するようになっており、このズーム検知羽根１７６の一方の端部はカメラ本体側に固定された直進ガイド１００１の凹凸部１００１ａのいずれかの凹部に係合されている。
【００３３】
このズーム検知羽根１７６はカメラボディに揺動自在に軸支されており、レンズ鏡胴１７０の繰出あるいは沈胴といった動作に応じて直進ガイド１００１の凹凸部１００１ａを摺動してＰＲ１１３の前面位置とその前面位置から退避した位置との間を揺動しながら移動する。このズーム検知羽根１７６が直進ガイド１００１の凸部に差し掛かったときにはそのズーム検知羽根１７６の遮光部がＰＲ１１３前面に配置され、ＰＲの受光部への光の入射を阻止して、直進ガイド１００１の凹部に差し掛かったときにはＰＲ１１３前面からその遮光部が退避されて受光部１１３ｂに光を受光させている。こうしてズーム検知羽根１７６がＰＲ１１３前面に配置されたときと、ＰＲ前面から退避されたときとを、上記ＣＰＵ１１０で検出してレンズ鏡胴１７０の繰出位置およびズーム操作に応じた繰出位置が検知される。
【００３４】
また、前述したシャッタ羽根１７１も遮光部を有しており、レリーズ操作に応じてそのシャッタ羽根の遮光部がＰＲ１１３前面に配置されると、ズーム検知羽根と同様にＰＲ１１３の出力を変化させることができる。ズーム操作とレリーズ操作とが同時に行なわれることはないので、シーケンス的に一つのＰＲ１１３を作動させれば、それぞれの遮光状態を独立に検出することができる。
【００３５】
図３は、電源スイッチ１０２が投入されたときから電源スイッチ１０２がオフされるまでの間にズーム操作およびレリーズ操作が行われたときの動作状態を示すタイミングチャートである。
【００３６】
図３（ａ）は電源スイッチ１０１のオンオフ状態を示す図、図３（ｂ）はズームスイッチ１０３の操作状況を示す図、また、図３（ｃ）はレリーズ釦１０２の押下操作の状態を示す図、図３（ｄ）はズーム駆動モータ１１４での駆動状態と、ズーム駆動モータ１１４での駆動状態に応じて検出されるＰＩ１１４１ａからの出力パルス列を示す図、図３（ｅ）はＰＲ１１３の動作状態を示す図、図３（ｆ）はレンズ鏡胴１７０の繰出位置を示す図、図３（ｇ）はシャッタ羽根の開閉状態を示す図、図３（ｈ）は閃光発光部の動作状態を示す図である。なおズーム駆動モータ１１４の回転方向はレンズ鏡胴１７０が繰出される方向を正として、レンズ鏡胴１７０が沈胴する方向を逆として示してある。
【００３７】
図３（ａ）に示すように電源が投入されると、電源の投入に同期して、図３（ｆ）に示すようにズーム駆動モータ１１４が駆動され、所定の繰出位置までレンズ鏡胴が駆動される。このときにはＰＩ１１４１ａからの出力パルス数ｎ２がＣＰＵ１１０で検出されている。その検出されたパルス数ｎ２がＣＰＵ１１０により所定の数であると検知され、さらにＰＲ１１３がズーム検知羽根１７６により遮光されたことがＣＰＵ１１０により検知されたら、レンズ鏡胴１７０が所定の繰出位置まで繰出されたとしてＣＰＵ１１０ではズーム駆動モータ１１４を停止させている。図２に示した凹凸部１００１ａの番号１に対応する凸部にズーム検知羽根があるときに図３（ｅ）に示す番号１で示すパルスが検出されている。なお、図２に示した凸部それぞれにズーム検知羽根１７６があるときにそれぞれの番号に対応する信号が図３（ｅ）に示したパルス状の信号としてＣＰＵ１１０で検出されている。
【００３８】
つまり、ズーム駆動モータ１１４によりレンズ鏡胴１７０が駆動されて、レンズ鏡胴１７０とともに移動するレンズ検知羽根１７６が直進ガイド１００１の凸部にあるときにはズーム検知羽根１７６がＰＲ１１３の前面に位置して、反射部材１１５ａにより反射された光が遮光されるので、図３（ｅ）に示したパルス状の信号が検出される。ここでは番号１に対応する凸部に隣接する、被写体側の凹部にズーム検知羽根１７６の一端が嵌入されてズーム駆動モータ１１４の駆動が停止されている。このように凹部にズーム検知羽根１７６が係合されているときにはＰＲ１１３前面から退避された位置にズーム検知羽根１７６が配置される。このようにしてレンズ鏡胴１７０が所定の位置まで繰出され、撮影スタンバイ状態になる。
【００３９】
ここでズームスイッチ１０３が操作されてズーム操作が行われると、ズーム操作に応じてレンズ鏡胴１７０が所定の位置からさらに繰出される。
【００４０】
ズーム駆動モータ１１４が駆動されているときにはＰＩ１１４１ａからのパルスの数がＣＰＵ１１０により検出されており、このパルスの数と、ズーム検知羽根１７６が直進ガイド１００１の凹凸部１００１ａに沿って摺動することによって検出されるＰＲの出力の変化がＣＰＵ１１０で検出され、ズームの操作位置が特定される。ここでは図２に番号３に対応する凸部を超えた後の凹部にズーム検知羽根１７６の一端が嵌入されてズーム駆動モータ１１４が停止されたことが示されている。
【００４１】
さらにその後でレリーズ釦１０２が操作されてシャッターアクチュエータ１１２に駆動指示が出されたときにもＰＲ１１３でシャッタ羽根１７１の開閉検知が行なわれている。このタイミングチャートでは、シャッタ羽根１７１は図３（ｇ）に示すように除々に開かれ、開き切った後、除々に閉じられている。ここでは開口し切った後で閃光発光を行なう訳ではなく、シャッタ羽根１７１が開かれている途中で閃光発光を行って撮影面に閃光に応じた光量を与えている場合が示されている。この閃光発光の閃光タイミングもＣＰＵ１１０で制御される。
【００４２】
図３（ａ）では電源オフ操作が行われた後で電源の電圧が完全にオフされ切るまでの状況が示されている。電源オフ操作が行われると図３（ｅ）に示すようにズームに対応する位置から沈胴が行なわれた後で電源がオフされる。電源のオフ操作が行われたら、まずズーム駆動モータが逆転してレンズ鏡胴が沈胴を始める。繰出されたときには番号１に対応する凸部、番号２に対応する凸部、番号３に対応する凸部と順にレンズ鏡胴１７０が繰出されたが、沈胴する場合にはレンズ鏡胴が番号３に対応する凸部から順に番号１に対応する凸部の方へ動かされる。その状況がＰＩから出力されるパルスの数と、ＰＲでの出力変化によって示されている。なお図３（ｄ）に示した符号ｎ１は直進ガイドに等間隔に設けられた凸部の間をズーム検知羽根１７６が摺動しているときにズーム駆動モータ側のＰＩから出力されるパルスの数を示したものであり、符号ｎ２は番号１に対応する凸部を超えた後でズーム検知羽根が番号１，２，３のいずれかで示される凸部に挟まれた凹部よりも相対的に大きな凹部１００１１を空走しているときにＰＩから出力されるパルスの数を示したものである。この符号ｎ２で示されるパルス数は、所定の位置にレンズ鏡胴が繰出されるときにもカウントされている。このように凹部の大きさを変えてズーム検知羽根をすぐに凸部に接触させずに空走させているのは、動作中に電池などが抜かれて電源がオフされた後で電源が再投入されたときにズーム検知羽根の位置を特定することができるようにするためであり、ズーム検知羽根を所定の凹部１００１１に復帰させることができるようにするためである。
【００４３】
以上説明したようにバリア機構の開閉検知とシャッタ羽根の開閉検知とレンズ鏡胴の繰出位置の検知とを一つのＰＲで独立に行なうことができる。このように独立にそれぞれの検知を行なうと、検知の精度が上がり、信頼性の高いカメラになる。さらにレンズ鏡胴の繰出位置を検出するためだけに小型のズーム検知羽根を別途設けただけなので、レンズ鏡胴がそれほど大型化することもなく、レンズ鏡胴の小型化を図ることができ、ひいてはカメラボディの小型化を図ることもできる。
【００４４】
【発明の効果】
以上、説明したように、本発明のカメラによれば、小型でありながら、検知の精度・信頼性を損なうこと無く、低コストで複数の動作を一つのセンサで検知することができるカメラを提供することができる。
【図面の簡単な説明】
【図１】本発明の実施形態を示すカメラの外観を示す図である。
【図２】図１に示すレンズ鏡胴内に配備された部材をおよび制御廻りの構成を示す図である。
【図３】電源スイッチ１０２が投入されたときから電源スイッチ１０２がオフされるまでの間にズーム操作およびレリーズ操作が行われたときの動作状態を示すタイミングチャートである。
【符号の説明】
１００　　カメラ
１００１　　直進ガイド
１０１　　電源スイッチ
１０２　　レリーズ釦
１０３　　ズームスイッチ
１１０　　ＣＰＵ
１１１　　ドライバ
１１２　　シャッタアクチュエータ
１１３　　ＰＲ
１１４　　ズーム駆動モータ
１１５　　エンコーダ
１１５ａ　ＰＩ
１１５ｂ　回転羽根
１７０　　レンズ鏡胴
１７１　　シャッタ羽根
１７２ａ　１７２ｂ　　バリア羽根
１７３　　バリア駆動部材
１７３１　　カムピン
１７３２　　ばね
１７３３　　ギア部
１７４　　レンズ群
１７５　　シャフト
１７６　　ズーム検知羽根
【図１】
2004118024.tif 000003
【図２】
2004118024.tif 000004
【図３】
2004118024.tif 000005